(57)【特許請求の範囲】
【請求項１】
歯科治療時に歯根管をクリーニングする歯科用鑢の耐用強度の検査を行う歯科用鑢の検査装置であって、
被検歯科用鑢がセットされる試料保持手段と、
該試料保持手段に保持される被検歯科用鑢の被検データを入力する被検データ入力手段と、
前記被検歯科用鑢の抵抗値に関するデータを測定する抵抗値データ測定手段と、
歯科用鑢の被検データと対応する限界強度の抵抗値データとを格納する検査情報記憶手段と、
前記抵抗値データ測定手段により測定された抵抗値に関するデータと、前記検査情報記憶手段から読出された前記被検歯科用鑢の被検データに対応する限界強度の抵抗値データとに基づき、前記被検歯科用鑢の強度が限界強度に達しているか否かを判定する判定手段と、
該判定手段によって前記被検歯科用鑢の強度が限界強度に達していると判定されると、警報を発する警報手段とからなることを特徴とする歯科用鑢の検査装置。
【請求項２】
セットとなる複数サイズの歯科用鑢が収容保持される保持体と、前記試料保持手段とを備えたキットケースとがさらに設けられていることを特徴とする請求項１記載の歯科用鑢の検査装置。
【請求項３】
前記抵抗値に関するデータが、前記抵抗値データ測定手段により測定される前記被検歯科用鑢の抵抗値データであることを特徴とする請求項１記載の歯科用鑢の検査装置。
【請求項４】
前記抵抗値に関するデータが、前記抵抗値データ測定手段により測定される前記被検歯科用鑢の抵抗変化率であることを特徴とする請求項１記載の歯科用鑢の検査装置。
【請求項５】
前記抵抗値データ測定手段の測定時に、前記被検歯科用鑢に曲げ変位を付与する曲げ変位付与手段が、さらに設けられていることを特徴とする請求項１記載の歯科用鑢の検査装置。
【請求項６】
前記抵抗値データ測定手段の測定後及び/又は測定時に、前記被検歯科用鑢に曲げ変位を付与する曲げ変位付与手段が、さらに設けられていることを特徴とする請求項１記載の歯科用鑢の検査装置。
【請求項７】
前記警報手段の警報時に、前記被検歯科用鑢を使用不能にする使用不能設定手段が、さらに設けられていることを特徴とする請求項１記載の歯科用鑢の検査装置。
【発明の詳細な説明】
【０００１】
【発明の属する技術分野】
本発明は歯科治療時に歯根管をクリーニングするＴｉ−Ｎｉ製やステンレス鋼製の歯科用鑢の耐用強度の検査を非破壊的に行う歯科用鑢の検査装置に関するものである。
【０００２】
【従来の技術】
歯の噛合部は、ほうろう質の冠状体で形成され、この冠状体の内部にセメント質の歯根管が存在しているが、虫歯になると冠状体が侵食されて、歯根管が露出してくる。この場合の歯科治療では、歯科用鑢を使用して、露出した歯根管に固着している異物を削り取って、治療部分をクリーニングした後に疾患部に必要な薬物を塗布、あるいは注入して治療を行う。
【０００３】
【発明が解決しようとする課題】
歯科治療時に歯科用鑢によりクリーニングを施す歯根管は、個人によってその形状が著しく異なり、同一人であってもそれぞれの歯で形状を異にしており、かなり大きく変化をする屈曲部や突起部さらには捻れ部を有している。
このために、歯科用鑢により、歯根管に固着している異物を削り取ってクリーニングを施す場合に、歯科用鑢には複雑に外力が印加され、歯科用鑢が捻れ曲がったり、疲労の限界強度を越えると破断したりすることもある。また、歯科用鑢は、使用後にオートクレーブによって消毒処理をするが、このオートクレーブによる加熱も歯科用鑢の強度や寿命を低下させる原因になり得る。
【０００４】
歯科治療時に歯科用鑢が破断し、その破断片が歯根管部分に、除去不能な状態で入り込んでしまうと、特に超弾性であるＴｉ−Ｎｉ製の歯科用鑢を使用した場合には、患者がニッケルアレルギーを起こすことがあり、またニッケルによって発癌物質が形成される恐れもある。
【０００５】
このために従来は、歯科医師が、歯科用鑢の使用累積時間を考慮した上で、目視によって歯科用鑢の変形の度合いを判定し、限界強度に近付いていると判断して廃棄処理をすることにより歯科用鑢の歯根管内部での破断事故の発生を防止していた。
【０００６】
本発明は、前述したような歯科用鑢を使用する歯科治療の現状に鑑みてなされたものであり、その目的は、歯科用鑢の限界強度への到達を、定量的に適確に判定することが可能な歯科用鑢の検査装置を提供することにある。
【０００７】
【課題を解決するための手段】
前記目的を達成するために、本発明に係る歯科用鑢の検査装置は、歯科治療時に歯根管をクリーニングする歯科用鑢の耐用強度の検査を行う歯科用鑢の検査装置であって、
被検歯科用鑢がセットされる試料保持手段と、該試料保持手段に保持される被検歯科用鑢の被検データを入力する被検データ入力手段と、
前記被検歯科用鑢の抵抗値に関するデータを測定する抵抗値データ測定手段と、歯科用鑢の被検データと対応する限界強度の抵抗値データとを格納する検査情報記憶手段と、前記抵抗値データ測定手段により測定された抵抗値に関するデータと、前記検査情報記憶手段から読出された前記被検歯科用鑢の被検データに対応する限界強度の抵抗値データとに基づき、前記被検歯科用鑢の強度が限界強度に達しているか否かを判定する判定手段と、該判定手段によって前記被検歯科用鑢の強度が限界強度に達していると判定されると、警報を発する警報手段とからなることを特徴とするものである。
【０００８】
また本発明に係る歯科用鑢の検査装置において、本発明の第２の実施の形態は、セットとなる複数サイズの歯科用鑢が収容保持される保持体と、前記試料保持手段とを備えたキットケースとが、さらに設けられていることを特徴とする。
【０００９】
さらに本発明に係る歯科用鑢の検査装置においては、前記抵抗値に関するデータが、前記抵抗値データ測定手段により測定される前記被検歯科用鑢の抵抗値データであることを特徴とする。
【００１０】
また本発明に係る歯科用鑢の検査装置において、前記抵抗値に関するデータが、前記抵抗値データ測定手段により測定される前記被検歯科用鑢の抵抗変化率であることを特徴とする。
【００１１】
さらに本発明に係る歯科用鑢の検査装置においては、前記抵抗値データ測定手段の測定時に、前記被検歯科用鑢に曲げ変位を付与する曲げ変位付与手段が、さらに設けられていることを特徴とする。
【００１２】
また本発明に係る歯科用鑢の検査装置においては、前記抵抗値データ測定手段の測定後及び／又は測定時に、前記被検歯科用鑢に曲げ変位を付与する曲げ変位付与手段が、さらに設けられていることを特徴とする。
【００１３】
さらに本発明に係る歯科用鑢の検査装置においては、前記警報手段の警報時に、前記被検歯科用鑢を使用不能にする使用不能設定手段が、さらに設けられていることを特徴とする。
【００１４】
【発明の実施の形態】
以下に本発明の一実施例を、図１乃至図５を参照して説明する。
図１は本発明の一実施例の構成を示すブロック図、図２は本発明の一実施例のキットケースの構成を示す説明図、図３はこの実施例の検査ユニットの構成を示す斜視図、図４はこの実施例の歯科用鑢の構成を示す説明図、図５は歯科用鑢の限界強度と抵抗値との関係を示す説明図である。
【００１５】
本発明では、図１に示すように被検歯科用鑢がセットされる保持片９、１０からなる試料保持部５が設けられ、保持片９、１０には、被検歯科用鑢の鑢部の端部とそれぞれ接触する検出電極９ａ、１０ａが固定されている。一方検出電極９ａ、１０ａには、リード線１５、１６を介して検査ユニット３０が接続されている。
また、キットケース１の壁部には、試料保持部５にセットされる被検歯科用鑢の先端位置に対応して、不良と判定された被検歯科用鑢の先端部を、焼鈍して使用不能にする誘導加熱部Ａが内蔵されている。さらに、蓋２には、試料保持部にセットされる被検歯科用鑢の先端位置に対応して、検査中の被検歯科用鑢に曲げ変位を付与する押圧部Cが設けられている。
【００１６】
検査ユニット３０においては、全体の動作を制御するＣＰＵ２１が、バスＢ及び抵抗測定部２０を介して入力端子にリード線１５、１６により接続され、歯科用鑢部の抵抗が抵抗測定部２０によって測定されるように接続されている。またＣＰＵ２１には、バスＢを介してオペレータによって、被検歯科用鑢のサイズや、材質などの被検データが入力されるデータ入力部２２と、検査動作時に各種のデータが表示されるディスプレイ１８とが接続されている。
【００１７】
同様に、ＣＰＵ２１には、バスＢを介して検査動作の制御プログラムが格納されたＲＯＭ２４、歯科用鑢の限界強度の抵抗値データが、サイズ、材質などの被検データに対応して格納され、さらに検査動作時に各種のデータが書込まれ、また読出されるＲＡＭ２３が接続されている。
さらにＣＰＵ２１には、バスＢを介して抵抗測定部２０が測定した抵抗値と、ＲＡＭ２３から被検データに対応して読出された限界強度の抵抗値データとに基づいて、被検歯科用鑢の強度が限界強度に達しているか否かを判定する演算判定部２５と、被検歯科用鑢の強度が限界強度に達していると判定されると、警報を発する警報器１９とが接続されている。
本発明においては、不良と判定された被検歯科用鑢を使用不能にするための手段は、必ずしも実施例に示す誘導加熱部Ａとする必要はなく適宜他の手段を用いることができ、また前記誘導加熱部Ａを試料保持部５と兼用することなく検査ユニット３０内の他の箇所に設けたり、あるいは検査ユニット３０内に配設せず、他のユニットに設けることもできる。
【００１８】
そして、ＣＰＵ２１には、バスＢを介して、試料保持部５にセットされる被検歯科用鑢の先端位置に対応して、不良と判定された被検歯科用鑢の先端部を、焼鈍して使用不能にするリード線３１、３２に接続された誘導加熱部Ａと、試料保持部にセットされる被検歯科用鑢の先端位置に対応して、検査中の被検歯科用鑢に曲げ変位を付与するリード線３１、３２に接続された押圧部Cとが接続されている。
【００１９】
この実施例にかかる検査ユニット３０は、図３に示すように長方体のケース１７に収容されており、ケース１７の前面パネルのほぼ中央位置に、ディスプレイ１８が配置され、前面パネルの一端側にデータ入力部２２が配置され、ディスプレイ１８の下方に警報器１９が配置されている。
【００２０】
またこの実施例では、図２に代表的に示すように大径サイズの歯科用鑢１１、中径サイズの歯科用鑢１２、小径サイズの歯科用鑢１３が１セットとして、キットケース１に収容されており、キットケース１の底面に配設された保持片６ａ〜６ｃ、７ａ〜７ｃに、歯科用鑢１１、１２、１３がそれぞれ保持収容されており、キットケース１の底面の一端側には、前述したように電極９ａ、１０ａがそれぞれ固定された保持片９、１０からなる試料保持部５が設けられている。この試料保持部５は、全てのサイズの歯科用鑢１１〜１３が保持可能で、保持された歯科用鑢の鑢部の両端部位置が、電極９ａ、１０ａにそれぞれ接触するように構成されている。
【００２１】
キットケース１は、歯科用鑢１１〜１３の収容時には蓋２が閉じられているが、歯科治療に際しては、蓋２が開かれて患者の歯のサイズに応じて、歯科用鑢１１〜１３から選択された歯科用鑢が試料保持部５にセットされ、該歯科用鑢の強度が限界強度に達していないことを検査確認することが可能な構成になっている。
【００２２】
また、歯科用鑢１１〜１３には、それぞれ鑢部１１ａ〜１３ａが形成され、歯科用鑢１１〜１３の端部には、共通サイズの装着軸１４が取付けられていて、歯科治療に際しては、図４に示すように選択された、例えば歯科用鑢１３を装着軸１４で共通に使用されるモータ２７に取付け、電源に接続されて回転するモータ２７によって歯科用鑢１３を高速回転し、鑢部１３ａによって歯根管に固着している異物を削り取るように構成されている。なお歯科用鑢は捩じり用ボディー（図示せず）に装着されて、歯科医の手により使用されることもある。
【００２３】
このような構成の実施例の動作を説明する。
オペレータである歯科医師は、患者の治療部位の歯のサイズに応じて、キットケース１に収容されている歯科用鑢１１〜１３のうちから、例えば先端部が０．３ｍｍφφ、基端部が１．０ｍｍφ、長さ３０ｍｍの歯科用鑢１３を選択した場合には歯科用鑢１３をキットケース１に設けられている試料保持部５に保持させる。
【００２４】
歯科用鑢１３の試料保持部５へのセットに次いで、オペレータは、データ入力部２２を操作して、試料保持部５にセットした歯科用鑢１３の被検データとして歯科用鑢１３の材質に基づく導電率ｋ、サイズに基づく断面積Ｓｃ、長さＬを入力し、スタート釦を操作し装置を始動させる。
【００２５】
また、被検歯科用鑢に曲げ変位を付与しながら、被検歯科用鑢の抵抗値に関するデータを検査測定することもできる。この場合は、データ入力部２２を操作して、押圧検査のデータを入力し、蓋２を閉じた状態でスタート釦を操作して装置を始動させる。この状態で、ＣＰＵ２１の指令によって、歯科用鑢１３の鑢部１３ａの両端がリード線１５、１６を介して接続される抵抗測定部２０により歯科用鑢１３の鑢部１３ａの抵抗値が測定され、得られた測定値データがＲＡＭ２３に格納される。
【００２６】
一般に、患者の歯根管部分のクリーニングを行うと、歯科用鑢１１〜１３には複雑に外力が印加され、歯科用鑢が捻れ曲がったり、一部が延びたり、表面が磨耗して強度が低下し、限界強度に達すると破断することがある。
この場合、歯科用鑢１３の磨耗破断に至る過程で、鑢部１３ａに捻れや曲がりと表面の磨耗によって、図５に示すように狭幅部３５が形成されると、狭幅部３５の長さをΔ又はΔＬ、断面積をＳｃ、鑢部１３ａの断面積をＳｏ、長さをＬ、鑢部１３ａの導電率をｋとし、説明上で簡単のために狭幅部３５の発生時に、狭幅部３５以外の断面積は変化しないものとすると、狭幅部３５の抵抗値をＲｃ、狭幅部３５以外の鑢部１３ａの抵抗値をＲｏ、鑢部１３ａ全体の抵抗値をＲとして次の数式が成立する。
【００２７】
［数１］
Ｒ＝Ｒｏ＋Ｒｃ
＝１／ｋ｛（１−Δ又はΔＬ）／Ｓｏ＋Δ又はΔＬ／Ｓｃ｝
＝Ｒｏ＋Δ又はΔＬ／ｋ（１／Ｓｃ−１／Ｓｏ）
【００２８】
数式１から明らかなように、歯科用鑢１３の鑢部１３ａに狭幅部３５が形成されると、狭幅部３５の長さΔ又はΔＬに比例し、狭幅部３５の断面積Ｓｃに反比例して、鑢部１３ａの抵抗値は増大して行くが、狭幅部３５は形成されなくても金属疲労によって内部抵抗値の変化が表れる。
【００２９】
この実施例では、歯科用鑢１１〜１３の材質に基づく導電率ｋ、サイズに基づく断面積Ｓｃ、長さＬの被検データに対応する限界強度の抵抗値が予め測定され、ＲＡＭ２３に歯科用鑢１１〜１３の導電率ｋ、断面積Ｓｃおよび長さＬの被検データに対応する限界強度の抵抗値データが格納されている。
【００３０】
そこでこの実施例では、抵抗測定部２０の測定値データが、ＲＡＭ２３に格納されると、ＣＰＵ２１の指令によって被検対象である歯科用鑢１３の導電率ｋ、断面積Ｓｃおよび長さＬの被検データに対応する限界強度の抵抗値と、歯科用鑢１３の抵抗測定部２０による抵抗値の測定データとが、ＲＡＭ２３から読出され、ＣＰＵ２１の指令で作動する演算判定部２５によって歯科用鑢２３の測定抵抗値が、対応する限界強度の抵抗値に達しているか否かが判定される。
【００３１】
演算判定部２５によって、歯科用鑢１３の測定抵抗値が、対応する限界強度の抵抗値に対して予め設定された危険領域内にあると判定されると、ＣＰＵ２１の指令によって、警報器１９から警報音が発せられると共に、ディスプレイ１８に「この歯科用鑢は、強度が限界に達しているので、使用しないで下さい」とのメッセージが表示される。
【００３２】
また、誘導加熱部Ａによって、歯科用鑢１３の先端部が焼鈍され、歯科用鑢１３は使用不能な状態に設定される。この場合、抵抗値データに基づいて、被検歯科用鑢の余寿命を推定して、ディスプレイ１８に表示することも可能であり、この場合には、抵抗変化率のデータを取込むようにすると、余寿命の推定精度を高めることが可能になる。
【００３３】
そして、演算判定部２５によって、歯科用鑢１３の測定抵抗値が、対応する限界強度の抵抗値に対して予め設定された危険領域の外にあると判定されると、ＣＰＵ２１の指令によって、ディスプレイ１８に「この歯科用鑢は（再）使用可能です」とのメッセージが表示される。
【００３４】
このように、本発明によると、オペレータである歯科医師が、歯科治療時にキットケース１に収容されている歯科用鑢１１〜１３から、患者の歯に対応して選択した歯科用鑢を、被検歯科用鑢としてキットケース１の試料保持部５にセットし、データ入力部２２から、被検歯科用鑢に対応する被検データを入力すると、検査ユニット３０によって、抵抗測定部２０で測定される被検歯科用鑢の鑢部の抵抗値と、ＲＡＭ２３から読出される被検歯科用鑢の被検データに対応する限界強度の抵抗値とが比較され、演算判定部２５が被検歯科用鑢が、限界強度に達していると判定すると、警報器１９が警報を発するので、歯科医師は、歯科治療時の歯根管のクリーニング時の歯科用鑢の破断事故を防止し、歯科治療を常に安全に行うことが可能になる。
【００３５】
なお、以上に説明した実施例では、強度が限界強度に達していると判定された歯科用鑢の先端部を焼鈍して使用不能状態を設定する場合を説明したが、本発明はこの実施例に限定されるものではなく、強度が限界強度に達していると判定された歯科用鑢の先端部を折損し或いは屈曲することも可能である。また以上の実施例では、被検歯科用鑢の抵抗値に基づいて、強度の判定をする場合を説明したが、本発明では被検歯科用鑢の抵抗変化率に基づいて、強度の判定をすることも可能である。
さらに以上の実施例では、データ入力部から、導電率ｋ、サイズに基づく断面積Ｓｃ、長さLを被検データとして入力する場合を説明したが、本発明では被検データとして、バーコードなどにより歯科用鑢に予め設定された型式のデータを入力するようにすることも可能である。
【００３６】
【発明の効果】
以上述べた通り本発明によると、被検歯科用鑢が試料保持手段にセットされ、試料保持手段にセットされた被歯科用鑢の被検データが、被検データ入力手段によって入力され、抵抗値測定手段によって、被検歯科用鑢の抵抗値が測定され、抵抗値測定手段により測定された抵抗値と、歯科用鑢の被検データと対応する限界強度の抵抗値データとが格納された検査情報記憶手段から読出された被検歯科用鑢の被検データに対応する限界強度の抵抗値データとに基づいて、判定手段によって、被検歯科用鑢の強度が限界強度に達しているか否かが判定され、被検歯科用鑢の強度が限界強度に達していると判定されると、警報手段が警報を発するので、歯根管をクリーニングする歯科用鑢の耐用強度の検査を、歯科治療前に定量的に適確に行って、歯科治療時の歯根管のクリーニング時の歯科用鑢の破断事故を防止し、歯科治療を安全に行うことが可能になる。
【００３７】
さらに本発明によると、セットとなる複数サイズの歯科用鑢が収容保持される保持体と、試料保持手段とを備えたキットケースが設けられているので、キットケース内の歯科用鑢をキットケース内の試料保持手段に保持させて、簡単かつ迅速に歯科用鑢の検査を行うことが可能になる。
【図面の簡単な説明】
【図１】  本発明の一実施例の構成を示すブロック図である。
【図２】  本発明の一実施例のキットケースの構成を示す説明図である。
【図３】  本発明の一実施例の検査ユニットの構成を示す斜視図である。
【図４】  本発明の歯科用鑢の構成を示す説明図である。
【図５】  歯科用鑢の限界強度と抵抗値との関係を示す説明図である。
【符号の説明】
１ キットケース
５ 試料保持部
６ 保持片
７ 保持片
９ 保持片
１０ 保持片
１１ 歯科用鑢
１１ａ 鑢部
１２ 歯科用鑢
１２ａ 鑢部
１３ 歯科用鑢
１３ａ 鑢部
１８ ディスプレイ
１９ 警報器
２０ 抵抗測定部
２１ ＣＰＵ
２２ データ入力部
２３ ＲＡＭ
２４ ＲＯＭ
２５ 演算判定部
【図１】
0003714783.tif 000002
【図２】
0003714783.tif 000003
【図３】
0003714783.tif 000004
【図４】
0003714783.tif 000005
【図５】
0003714783.tif 000006